(57)【特許請求の範囲】
【請求項１】
本体部の左右一方の端部にヒンジ部を介して開閉部材を軸支すると共に、該本体部の左右他方の端部側に対し施錠手段を介して開閉部材を施錠するよう構成された遊技機において、
前記本体部および開閉部材の何れか一方に設けられ、前記ヒンジ部および前記施錠手段の間に位置する第１係合部と、
前記本体部および開閉部材の何れか他方に設けられ、前記開閉部材が閉成された状態において、該開閉部材に設けられた皿部材の後方で前記第１係合部に係脱自在に係合する第２係合部とを備え、
前記第２係合部が設けられた前記本体部または開閉部材には、前記第１係合部が設けられた該本体部または開閉部材に向け開口して該開閉部材が閉成された状態で前記第１係合部が臨む凹部が形成されると共に、該凹部の開口縁に前記第１係合部が摺動可能な案内部が設けられ、
前記案内部は、前記開閉部材を閉成する際に前記第１係合部と前記第２係合部とが係合する前に当該第１係合部が接する位置に設けられ、
前記第１係合部および前記案内部の何れかに、他方と摺動する部分が後方へ向けて上方傾斜する傾斜状に設けられ、前記開閉部材を閉成する際に前記第１係合部が前記案内部を摺動することに応じて前記開閉部材が上方へ変位するよう構成された
ことを特徴とする遊技機。
【請求項２】
本体部の左右一方の端部にヒンジ部を介して開閉部材を軸支すると共に、該本体部の左右他方の端部側に対し施錠手段を介して開閉部材を施錠するよう構成された遊技機において、
前記本体部および開閉部材の何れか一方に設けられ、前記ヒンジ部および前記施錠手段の間に位置する第１係合部と、
前記本体部および開閉部材の何れか他方に、前記第１係合部と係合可能な係合位置および該第１係合部との係合を解除可能な解除位置に変位可能に設けられ、前記開閉部材が閉成された状態において、該開閉部材に設けられた皿部材の後方で前記第１係合部に係脱自在に係合する第２係合部と、
前記第２係合部を解除位置側から係合位置側へ向けて付勢する付勢手段とを備え、
前記第２係合部が設けられた前記本体部または開閉部材には、前記第１係合部が設けられた該本体部または開閉部材に向け開口して該開閉部材が閉成された状態で前記第１係合部が臨む凹部が形成されると共に、該凹部の開口縁に前記第１係合部が摺動可能な案内部が設けられ、
前記案内部は、前記開閉部材を閉成する際に前記第１係合部と前記第２係合部とが係合する前に当該第１係合部が接する位置に設けられ、
前記第１係合部は、前記開閉部材を閉成する際に前記案内部を摺動する部位とは別の部位で前記第２係合部に接して該第２係合部を解除位置側へ向けて変位させ、前記付勢手段の付勢に応じて係合位置側へ復帰した前記第２係合部と係合するよう構成された
ことを特徴とする遊技機。
【発明の詳細な説明】
【技術分野】
【０００１】
この発明は、遊技盤を保持する本体部の左右一方の端部にヒンジ部を介して開閉部材を軸支すると共に、該本体部の左右他方の端部側に対し施錠手段を介して開閉部材を施錠するよう構成された遊技機に関するものである。
【背景技術】
【０００２】
例えば特許文献１に示すように、遊技機の代表例の一つであるパチンコ機は、前後に開口する矩形枠状に形成されて遊技店の設置枠台に固定される固定枠としての外枠と、該外枠に対して開閉可能に支持されて遊技盤を着脱可能に保持する本体枠としての中枠(本体部)と、該中枠の前側に開閉可能に支持されてパチンコ機前面を装飾すると共に遊技盤を透視保護する装飾枠としての前枠(開閉部材)とを基本的に備えている。前記前枠は、左右一方の端部がヒンジ部を介して中枠に軸支されており、該一方の端部を軸として前枠を回動させることで、前枠を中枠に対して開閉し得るよう構成される。
【０００３】
前枠の左右他方の端部側には、該前枠の中枠に対する施錠・解錠を行う施錠手段が設けられており、該前枠を閉成した際に施錠手段が前枠を中枠に対し施錠するようになっている。すなわち、閉成時の前枠は、中枠に軸支された側および中枠に施錠された側の左右両側が固定された状態となる。なお、施錠手段には、前枠の前側に臨むよう鍵孔が設けられ、該鍵孔に差し込んだカギを解錠操作することで、施錠手段が解錠して前枠の開放が許容されるようになっている。
【先行技術文献】
【特許文献】
【０００４】
【特許文献１】特開２０１０−２６４１２３号公報
【発明の概要】
【発明が解決しようとする課題】
【０００５】
ところが、特許文献１の構成では、前枠の端部がヒンジ部および施錠手段により中枠に連結された構造のため、前枠が手前(前方)に引っ張られた場合に、前枠の撓み等に起因して前枠の中央部側が中枠に対し僅かに離間する虞がある。このように、前枠と中枠との間に隙間が形成されると、該隙間から不正器具を遊技盤に挿入して、遊技盤に植設された遊技釘を湾曲させたり、遊技盤に設けられた入賞口を強制的に開放したりする不正行為が行われることがあることから、有効な対策が求められている。
【０００６】
すなわち、本発明は、従来技術に係る遊技機に内在する前記問題に鑑み、これらを好適に解決するべく提案されたものであって、不正行為を防止し得る遊技機を提供することを目的とする。
【課題を解決するための手段】
【０００７】
前記課題を解決し、所期の目的を達成するため、本願の請求項１に係る発明の遊技機は、
本体部(18)の左右一方の端部にヒンジ部(34,36,80c,80d)を介して開閉部材(20)を軸支すると共に、該本体部(18)の左右他方の端部側に対し施錠手段(44,88)を介して開閉部材(20)を施錠するよう構成された遊技機において、
前記本体部(18)および開閉部材(20)の何れか一方に設けられ、前記ヒンジ部(34,36,80c,80d)および前記施錠手段(44,88)の間に位置する第１係合部(78)と、
前記本体部(18)および開閉部材(20)の何れか他方に設けられ、前記開閉部材(20)が閉成された状態において、該開閉部材(20)に設けられた皿部材(82)の後方で前記第１係合部(78)に係脱自在に係合する第２係合部(106)とを備え、
前記第２係合部(106)が設けられた前記本体部(18)または開閉部材(20)には、前記第１係合部(78)が設けられた該本体部(18)または開閉部材(20)に向け開口して該開閉部材(18)が閉成された状態で前記第１係合部(78)が臨む凹部が形成されると共に、該凹部(102)の開口縁に前記第１係合部(78)が摺動可能な案内部(104)が設けられ、
前記案内部(104)は、前記開閉部材(20)を閉成する際に前記第１係合部(78)と前記第２係合部(106)とが係合する前に当該第１係合部(78)が接する位置に設けられ、
前記第１係合部(78)および前記案内部(104)の何れかに、他方と摺動する部分が後方へ向けて上方傾斜する傾斜状に設けられ、前記開閉部材(20)を閉成する際に前記第１係合部(78)が前記案内部(104)を摺動することに応じて前記開閉部材(20)が上方へ変位するよう構成されたことを要旨とする。
また、前記課題を解決し、所期の目的を達成するため、本願の請求項２に係る発明の遊技機は、
本体部(18)の左右一方の端部にヒンジ部(34,36,80c,80d)を介して開閉部材(20)を軸支すると共に、該本体部(18)の左右他方の端部側に対し施錠手段(44,88)を介して開閉部材(20)を施錠するよう構成された遊技機において、
前記本体部(18)および開閉部材(20)の何れか一方に設けられ、前記ヒンジ部(34,36,80c,80d)および前記施錠手段(44,88)の間に位置する第１係合部(78)と、
前記本体部(18)および開閉部材(20)の何れか他方に、前記第１係合部(78)と係合可能な係合位置および該第１係合部(78)との係合を解除可能な解除位置に変位可能に設けられ、前記開閉部材(20)が閉成された状態において、該開閉部材(20)に設けられた皿部材(82)の後方で前記第１係合部(78)に係脱自在に係合する第２係合部(106)と、
前記第２係合部(106)を解除位置側から係合位置側へ向けて付勢する付勢手段(112)とを備え、
前記第２係合部(106)が設けられた前記本体部(18)または開閉部材(20)には、前記第１係合部(78)が設けられた該本体部(18)または開閉部材(20)に向け開口して該開閉部材(18)が閉成された状態で前記第１係合部(78)が臨む凹部が形成されると共に、該凹部(102)の開口縁に前記第１係合部(78)が摺動可能な案内部(104)が設けられ、
前記案内部(104)は、前記開閉部材(20)を閉成する際に前記第１係合部(78)と前記第２係合部(106)とが係合する前に当該第１係合部(78)が接する位置に設けられ、
前記第１係合部(78)は、前記開閉部材(20)を閉成する際に前記案内部(104)を摺動する部位とは別の部位で前記第２係合部(106)に接して該第２係合部(106)を解除位置側へ向けて変位させ、前記付勢手段(112)の付勢に応じて係合位置側へ復帰した前記第２係合部(106)と係合するよう構成されたことを要旨とする。
請求項１および２の発明によれば、開閉部材を本体部に閉成した際に、第１係合部および第２係合部が係合するから、施錠手段およびヒンジ部の間で本体部および開閉部材を固定することができる。従って、開閉部材を本体部から離間する方向へ引っ張ったとしても、本体部および開閉部材の間に隙間が形成されるのを防止することができる。また、第１係合部が凹部に臨む際に案内部に摺動することで、第１係合部を凹部に挿入されるよう案内し得る。これにより、開閉部材を閉成する際に、第１係合部を凹部へ確実に挿入させることができる。
【発明の効果】
【０００８】
本発明に係る遊技機によれば、不正行為を防止することができる。
【図面の簡単な説明】
【０００９】
【図１】本発明の実施例に係るパチンコ機の正面図である。
【図２】前枠を閉成した状態の中枠を、外枠に対して開放した状態を示す斜視図である。
【図３】外枠に対して中枠を閉成すると共に、該中枠に対して前枠を開放した状態を示す斜視図である。
【図４】外枠の正面図である。
【図５】遊技盤を取り外した状態の中枠を示す斜視図である。
【図６】中枠の上枠部材を後側から見た斜視図である。
【図７】図５のＡ−Ａ線断面図である。
【図８】第２作動部材が突出係合片に係合する様子を示す中枠の右側面図であって、(ａ)は第２作動部材が施錠位置にある状態を示し、(ｂ)は第２作動部材の解錠位置にある状態を示す。
【図９Ａ】図１のＢ−Ｂ線断面図で中枠のみを示したものであって、(ａ)は押圧部材が非作動位置にある状態を示し、(ｂ)は押圧部材が作動位置にある状態を示す。
【図９Ｂ】図１のＢ−Ｂ線断面図であって、作動位置の押圧部材により回動作動部材が第２位置に回動変位した状態を示す拡大図である。
【図１０】図２のＣ−Ｃ線断面図であって、押圧部材が非作動位置に位置して回動作動部材に作用していない状態を示す拡大図である。
【図１１】前枠を後側から見た斜視図である。
【図１２】(ａ)は第２作動部材が施錠位置にある状態で施錠機構を前側から見た斜視図、(ｂ)は第２作動部材が施錠位置にある状態で施錠機構を後側から見た斜視図、(ｃ)は第２作動部材が解錠位置にある状態の施錠機構を後側から見た斜視図である。
【図１３】(ａ)は第２作動部材の正面図、 (ｂ)は第２作動部材の右側面図である。
【図１４】保護部材および第２係合部を前側から見た斜視図である。
【図１５】(ａ)は図１１のＤ−Ｄ線断面図であって、前枠を中枠に対し閉成する際に第１係合部が案内部材の案内面に摺動する様子を示し、(ｂ)は前枠を中枠に対し閉成した状態における図１１のＤ−Ｄ線断面図であって、第１係合部が案内部材を支持する様子を示す。
【図１６】保護部材および第２作動部材の一部を拡大して示す正面図であって、(ａ)は第２作動部材が施錠位置に位置して第２係合部が係合位置に位置した状態を示し、(ｂ)は第２作動部材の解錠位置に位置して第２係合部が解除位置に変位した状態を示す。
【図１７】(ａ)は図１１のＥ−Ｅ線断面図であって、前枠を中枠に対し閉成する際に第１係合部が第２係合部を変位させる様子を示し、(ｂ)は前枠を中枠に対し閉成した状態における図１１のＥ−Ｅ線断面図であって、第１係合部に第２係合部が係合した状態を示す。
【図１８】検知ユニットを右側から見た分解斜視図である。
【図１９】(ａ)は回動体が第１位置に位置して板状片が開放検知位置に位置した状態を示す検知ユニットの右側面図であって、(ｂ)は回動体が第２位置に位置して板状片が閉成検知位置に位置した状態を示す検知ユニットの右側面図である。
【図２０】実施例に係る回動作動部材および板状片の関係を示す説明図であって、(ａ)は回動体が第１位置に位置して板状片が開放検知位置に位置する状態を示し、(ｂ)は作用体が板状片に最初に当接した状態を示し、(ｃ)は回動体が第２位置に位置して板状片が閉成検知位置に揺動変位した状態を示す。
【図２１】変更例に係る回動作動部材および板状片の関係を示す説明図であって、(ａ)は回動体が第１位置に位置して板状片が開放検知位置に位置する状態を示し、(ｂ)は作用体が板状片に最初に当接した状態を示し、(ｃ)は回動体が第２位置に位置して板状片が閉成検知位置に揺動変位した状態を示す。
【発明を実施するための形態】
【００１０】
次に、本発明に係る遊技機につき、好適な実施例を挙げて、添付図面を参照しながら以下詳細に説明する。なお、実施例では、遊技球としてパチンコ球を用いて遊技を行うパチンコ機を例に挙げて説明する。また、以下の説明において、「前」、「後」、「左」、「右」とは、図１に示すようにパチンコ機１０を前側(遊技者側)から見た状態で指称する。
【実施例】
【００１１】
〔パチンコ機１０の概略構成について〕
実施例に係るパチンコ機１０は、図１または図２に示すように、矩形枠状に形成されて外郭をなす第１の枠体としての外枠１２の開口前面側に、各種部品が設置された第２の枠体１４が開閉および着脱自在に組み付けられている。前記第２の枠体１４は、図３に示すように、所要の遊技領域１６ａが画成された遊技盤１６を保持する本体枠としての中枠(第１枠部,本体部)１８と、該遊技盤１６を透視保護するガラス板２０ａを備えた装飾枠としての前枠(開閉部材,第２枠部)２０とからなり、該中枠１８の前面側に前枠２０が開閉可能に組み付けられて構成されている。なお、以下の説明で、第２の枠体１４が第１の枠体１２に対し開放するとは、前枠２０が中枠１８に対し閉成すると共に中枠１８が外枠１２に対し開放した状態、中枠１８が外枠１２に対し閉成すると共に前枠２０が中枠１８に対し開放した状態または前枠２０、中枠１８および外枠１２が全て開放した状態の何れかの状態を云う。また、第２の枠体１４が第１の枠体１２に対し閉成するとは、中枠１８が外枠１２に対し閉成し、かつ前枠２０が中枠１８に対し閉成した状態(すなわち、前枠２０、中枠１８および外枠１２が全て閉成した状態)を云う。そして、外枠１２、中枠１８および前枠２０を閉成した際に、該外枠１２および前枠２０の間に中枠１８が位置するよう構成されている(図３,図９Ｂ参照)。
【００１２】
〔遊技盤１６について〕
図３に示すように、前記遊技盤１６は、略円形状に湾曲する外レール１６ｂおよび内レール１６ｃが盤面(前面)に配設されて、該内外レール１６ｂ,１６ｃの内側に画成される前記遊技領域１６ａ内に、図柄表示装置や入賞装置等の遊技用部品(何れも図示せず)が配置されている。また、前記外レール１６ｂおよび内レール１６ｃは、パチンコ球が通過可能な距離だけ離間するよう構成されて、打球発射装置２２(後述)から発射されたパチンコ球が通過する発射通路１６ｄを画成している。ここで、前記発射通路１６ｄは、遊技盤１６の下端左寄り位置で下方に開口すると共に、遊技盤１６の左上部位置で遊技領域１６ａ内に開口しており、前記打球発射装置２２から発射されて発射通路１６ｄを通過したパチンコ球が遊技領域１６ａの上部位置に打ち出されるようになっている。そして、前記遊技領域１６ａに打ち出されたパチンコ球が入賞装置に入賞することで、所定数の賞球が払い出されるようになっている。なお、以下の説明においては、前記発射通路１６ｄの下方開口を始端開口部１６ｅと指称する。
【００１３】
〔外枠１２について〕
図４に示すように、前記外枠１２は、上縁枠部１２ａ、下縁枠部１２ｂ(図３参照)、左縁枠部１２ｃおよび右縁枠部１２ｄの端部を連結して、前後方向に開放する矩形枠状に組み付けられている。前記上縁枠部１２ａおよび下縁枠部１２ｂは、上下方向に所定厚みを有する木質系材料で構成される一方、前記左縁枠部１２ｃおよび右縁枠部１２ｄは、アルミ材等の金属材料で構成されて、外枠１２全体の剛性が高められている。なお、下縁枠部１２ｂの前側には、左右方向に延在する化粧板１２ｅが設けられ、遊技機の前面下部の意匠面を構成している。図４に示すように、前記外枠１２の左上端部および左下端部(左右一方の端部)には、上支持受具２４および下支持受具２６が配設されており、該上支持受具２４に下方へ突出形成した上支軸２４ａと、下支持受具２６に上方へ突出形成した下支軸２６ａとを介して、前記中枠１８が開閉自在に枢支される。また、前記右縁枠部１２ｄ(左右他方の端部)の内側には、複数(実施例では２つ)の外枠係合片２８,２８が上下に離間して設けられ、中枠１８が外枠１２に対し閉成した際に、後述する中枠１８の第１作動部材３０の中枠係合片３０ａ,３０ａが外枠係合片２８,２８に係脱自在に係合するよう構成されている。
【００１４】
〔中枠１８について〕
図５に示すように、前記中枠１８は、上縁をなす上枠部材１８ａと、下縁をなし、スピーカ３２や打球発射装置２２等を設置する設置部として機能する下枠部材１８ｂと、左側縁をなす左枠部材１８ｃと、右側縁をなす右枠部材１８ｄとから構成されて、これら上下左右の枠部材を組み付けた際に、全体が前記外枠１２の開口領域に整合する大きさに形成されている(図３参照)。そして、前記上下左右の枠部材１８ａ〜１８ｄを組み付けた際に開口する前後の開口領域(以下、遊技盤設置部１９という)に、前記遊技盤１６が着脱自在に設置されるようになっている。
【００１５】
図５に示すように、前記上枠部材１８ａの前面における左上端部(左右一方の端部)、および前記下枠部材１８ｂの前面における左下端部(左右一方の端部)には、ヒンジ部としての第１の連結金具３４および第２の連結金具３６が夫々配設されている。ここで、前記第１の連結金具３４には、上方および左方に開口する第１軸孔３４ａおよび下方に開口する第２軸孔(図示せず)が夫々形成されている。前記第１軸孔３４ａの左方開口は、回動可能なレバー部３４ｂ(図６参照)により開閉されるようになっている。そして、レバー部３４ｂを回動操作して開放した第１軸孔３４ａの左方開口から前記上支持受具２４の上支軸２４ａを第１軸孔３４ａに挿通し、該レバー部３４ｂで該左方開口を閉成することで、第１の連結金具３４が上支持受具２４に着脱し得るようになっている。また、前記第２の連結金具３６は、上方に突出する突軸部３６ａおよび下方に開口する第３軸孔(図示せず)が穿設してある。すなわち、前記第１の連結金具３４の第１軸孔３４ａ、および第２の連結金具３６の第３軸孔に、前記外枠１２の上下の支持受具２４,２６に形成した上下の支軸２４ａ,２６ａを対応的に挿通することで、中枠１８が外枠１２に対して開閉自在に枢支される。
【００１６】
図７に示すように、前記右枠部材１８ｄは、遊技盤設置部１９の右側部を画成し、遊技盤１６の右側端面を当接支持する右枠本体３８と、該右枠本体３８の前端から機外側(図７では右方)へ延出する連結壁４０と、該連結壁４０の機外側を前側へ折曲した外壁部４２とから構成されている。前記連結壁４０には、前後方向に開口する貫通孔４０ａが上下方向に離間して複数(実施例では３つ)形成されている。図２,図８(ａ),(ｂ)に示すように、前記右枠本体３８における機外側の側面には、前記前枠２０を施錠する施錠手段としての突出係合片４４が各貫通孔４０ａに対応して設けられている。この突出係合片４４は、前方へ延出するカギ部４４ａを備え、該カギ部４４ａが前記貫通孔４０ａを介して連結壁４０の前側に突出している。なお、図７に示すように、カギ部４４ａの前側は、後方から前方に向けて機外側(右側)に傾斜するよう折り曲げられている。また、右枠本体３８の機外側の側面には、外枠１２に対し中枠１８を施錠する施錠手段としての第１作動部材３０が配設されている。この第１作動部材３０は、上下方向に長尺な板状部材であって、右枠本体３８に対し上下方向にスライド自在に設けられている。第１作動部材３０の上下の端部には、後方に突出する中枠係合片３０ａが複数(実施例では２つ)設けられ、前記中枠１８を外枠１２に対し閉成した際に、中枠係合片３０ａが前記外枠係合片２８に係脱自在に係合するようになっている。なお、第１作動部材３０は、後述する解錠操作部(施錠手段)４６を解錠操作した際に、下方へスライドして、中枠係合片３０ａおよび外枠係合片２８の係合が解除されるよう構成される。
【００１７】
〔上枠部材１８ａについて〕
図６,図９Ａに示すように、前記上枠部材１８ａは、前記遊技盤設置部１９の上部を画成する上枠本体部５０と、該上枠本体部５０の前側上部に前方および上方に突出するよう設けられ、中枠１８の上縁を規定する上縁部４８と、該上枠本体部５０の後部に配設され、パチンコ球を貯留するタンク部５２ａが形成されたタンク部材５２とから基本的に構成される。図３に示すように、前記上縁部４８は、前記外枠１２の上縁枠部１２ａと略同一の高さに位置すると共に、上縁部４８の後面は、中枠１８を外枠１２に対し閉成した際に、前記上縁枠部１２ａの前面に当接するようになっている。
【００１８】
図６,図９Ａに示すように、前記上縁部４８の右端部には、後方に開放する収容凹部５４が凹設されると共に、該収容凹部５４の後方開口が蓋部材６８で閉塞されており、該収容凹部５４の内部に押圧部材５６が前後方向にスライド自在に収容される。また、図５に示すように、上縁部４８の前面には、前記収容凹部５４に連通する長円形状の中枠通孔部５８が前後方向に開口するよう形成されている。前記収容凹部５４の内部には、前後方向に延在すると共に後端部にネジ孔を開口させた円柱状のボス部６０,６０が複数(実施例では２つ)形成されている。また、前記収容凹部５４の内底部から前記上枠本体部５０の上面にかけて前後方向に延在する案内リブ(案内部)６４が形成され、スライド時の押圧部材５６を案内リブ６４で案内するようになっている。
【００１９】
図６,図９Ａ(ａ),(ｂ)に示すように、前記押圧部材５６は、薄板状の板部材５６ａと、該板部材５６ａの前面から前方に突出するよう形成された前側押圧部５６ｂと、該板部材５６ａの後面から後方に突出するよう形成された後側押圧部５６ｃとから基本的に構成されている。前記板部材５６ａの外郭形状は、前記収容凹部５４の後方開口形状に略整合する形状とされて、押圧部材５６がスライドする際に、該板部材５６ａの外縁部が収容凹部５４の内壁部に摺動するようになっている。図６に示すように、板部材５６ａの上縁部には、逃し凹部５６ｄが形成されており、該上縁部と収容凹部５４との接触面積を軽減して、板部材５６ａのスライド時の抵抗を抑制している。また、板部材５６ａには、前後方向に開放する位置決め通孔５６ｅが前記ボス部６０に対応して形成されており、ボス部６０を位置決め通孔５６ｅに挿通させるよう構成されている。ここで、前記ボス部６０,６０には、前記収容凹部５４の内壁面と押圧部材５６との間にコイルばね６２,６２(第２の付勢手段)が夫々介挿されており、該コイルばね６２,６２の弾性力(付勢力)により押圧部材５６が常に後方へ付勢されている。前記板部材５６ａの下縁部には、係合部６６が上方に凹設されており、該係合部６６が収容凹部５４内に臨む前記案内リブ６４に摺動自在に係合するよう構成される(図９Ａ(ａ),(ｂ)参照)。前記前側押圧部５６ｂは、前記中枠通孔部５８の開口面積より僅かに小さな長円形の断面形状をなし、中枠通孔部５８に整合した状態で挿通される。前記後側押圧部５６ｃは、前記蓋部材６８に設けた蓋通孔部６８ａ(後述)に挿通されるようになっている。
【００２０】
前記蓋部材６８は、前記収容凹部５４の後方開口を閉塞する薄板部材であって、蓋部材６８の前記ボス部６０,６０に対応する位置に通孔６８ｂ,６８ｂが前後方向に開放して形成されている。また、蓋部材６８には、蓋通孔部６８ａが前後方向に開放して形成されており、該蓋通孔部６８ａに後側押圧部５６ｃが挿通される。そして、蓋部材６８を収容凹部５４の後方開口に臨ませて、該蓋部材６８の通孔６８ｂ,６８ｂを介してネジ(図示せず)をボス部６０,６０のネジ孔に螺挿することで、蓋部材６８が上縁部４８に固定され、押圧部材５６が収容凹部５４から脱離不能となる。蓋部材６８が上縁部４８に固定された状態では、該蓋部材６８の後面が上縁部４８の後面と略同一面上に位置するようになる(図９Ａ(ａ),(ｂ)参照)。
【００２１】
ここで、図９Ａ(ａ)に示すように、中枠１８が外枠１２に対して開放した状態では、前記押圧部材５６は、前記コイルばね６２,６２の弾性力(付勢力)により後方へ押圧された非作動位置に位置するになっている。この非作動位置では、前記前側押圧部５６ｂが中枠通孔部５８を介して収容凹部５４内に退避すると共に、前記後側押圧部５６ｃが蓋通孔部６８ａから後方へ突出し、後側押圧部５６ｃの後端部が上縁部４８の後面より後方に突出した状態とされる(図２参照)。一方、中枠１８を外枠１２に対し閉成した状態では、図９Ａ(ｂ)に示すように、前記後側押圧部５６ｃが外枠１２の上縁枠部１２ａの前面に当接して前方へ押圧され、前記押圧部材５６は、コイルばね６２の弾性力に抗して前方の作動位置に変位されるようになっている。この作動位置では、前記後側押圧部５６ｃが蓋通孔部６８ａを介して収容凹部５４内に退避すると共に、前記前側押圧部５６ｂが中枠通孔部５８から前方へ突出するよう構成される(図３参照)。
【００２２】
〔下枠部材１８ｂについて〕
図３,図５に示すように、前記下枠部材１８ｂの前面には、パチンコ球を遊技盤１６の遊技領域１６ａに打ち出す打球発射装置２２が配設されている。打球発射装置２２は、発射レール２２ａと、該発射レール２２ａの傾斜下端に配設された打球杆２３ａを有する打球駆動部２３とから構成される。また、下枠部材１８ｂの前面には、左右の略中央部に正面視で台形形状の設置台部７０が設けられ、該設置台部７０に前記スピーカ３２が設置されている。すなわち、下枠部材１８ｂの設置台部７０の斜部に沿って画成される斜状凹部７４に、前記発射レール２２ａが右から左に向けて上方傾斜させた状態で収容されると共に、下枠部材１８ｂの設置台部７０の右側に矩形状に画成される矩形凹部７２に、前記打球駆動部２３が収容されている。更に、下枠部材１８ｂには、前記発射レール２２ａの延長線上に延在するよう板状の傾斜案内部７６が配設されている。図３に示すように、この傾斜案内部７６の開放端は、前記遊技盤１６の発射通路１６ｄの始端開口部１６ｅを指向しており、打球発射装置２２の打球杆２３ａにより打ち出されたパチンコ球が発射レール２２ａに案内されて発射通路１６ｄに飛翔するよう構成される。なお、図３,図５に示すように、下枠部材１８ｂにおける傾斜案内部７６の開放端側には、前記始端開口部１６ｅに連通するよう上方に開口するファール球回収口７９が形成されている。このファール球回収口７９は、後述する球皿部材８２の球貯留部に連通しており、ファール球回収口７９で回収したファール球が該球貯留部に戻されるようになっている。
【００２３】
図３に示すように、傾斜案内部７６の下方には、第１係合部７８が前方に突出するように設けられている。図３に示すように、この第１係合部７８は、中枠１８の左右方向の略中央位置(ヒンジ部および施錠手段の間)に位置すると共に、下枠部材１８ｂの上部側(後述する球皿部材８２の後方)に位置している(図１参照)。第１係合部７８は、アルミ材等の金属材で構成された剛性を有する棒状体であって、第１係合部７８の先端部は、後方から前方に向けて先細り形状とされている。また、第１係合部７８には、環状の係合溝７８ａが凹設されており、後述する第２係合部１０６が該係合溝７８ａに係脱自在に係合するようになっている。
【００２４】
〔前枠２０について〕
図１１に示すように、前記前枠２０は、前記中枠１８の外郭形状に略合致する矩形板状に形成されると共に前後方向に開口する窓枠８０ａが開設された前枠基体部８０を基本構成とし、該前枠基体部８０の前面に窓枠８０ａの周囲を囲繞するよう各種の装飾部材８０ｂが配設されて構成される。また、前枠２０は、前枠基体部８０の前面側に取り付けられ、上方へ開口する球貯留部(図示せず)を有する球皿部材８２と、該前枠基体部８０の下部後面に配設され、前枠２０を中枠１８に対し閉成した際に前記発射レール２２ａおよび傾斜案内部７６を保護する保護部材８４とを備えている。更に、図３に示すように、前記前枠基体部８０の後面における右上隅部(図３では左上隅部)には、前枠２０、中枠１８および外枠１２の開閉状態(第１の枠体１２および第２の枠体１４の相対的な開閉状態)を検知する検知ユニット８６が配設されている(図１９(ａ),(ｂ)参照)。前記前枠基体部８０の左上隅部(左右一方の端部)に、ヒンジ部としての突起軸８０ｃ(図１１参照)が上方に突出して形成されると共に、前枠基体部８０の左下隅部(左右一方の端部)に、上下方向に開放する第４軸孔(図示せず)が穿設されたヒンジ部としての第３の連結金具８０ｄが配設されている(図１１参照)。そして、前記中枠１８の第２の連結金具３６に形成した突軸部３６ａを前枠２０の第４軸孔に挿入すると共に、前記第１の連結金具３４に形成した第２軸孔に前枠２０の突起軸８０ｃを挿入することで、当該前枠２０が中枠１８に対して開閉自在に枢支される。前枠２０を中枠１８に対して閉成した状態では、中枠１８の前側が前枠２０によって覆われると共に、前記遊技盤１６に形成された遊技領域１６ａが窓枠８０ａを介して前方に露出するよう構成される。なお、前枠基体部８０の後側には、窓枠８０ａを覆うようにガラス板２０ａ(図１参照)が配設されており、前枠２０を中枠１８に対し閉成した際に、ガラス板２０ａが遊技盤１６を前側から透視保護するようになっている。
【００２５】
前記前枠基体部８０の右側部(左右他方の端部)には、施錠手段としての施錠機構８８が配設されている(図３,図１２参照)。図１２(ａ)〜(ｃ)に示すように、前記施錠機構８８は、前記前枠基体部８０の後面に固定された支持案内部９０と、該支持案内部９０に配設された解錠操作部４６と、該支持案内部９０にスライド自在に支持された第２作動部材(作動部材)９２とを基本的に備えている。前記支持案内部９０は、上下方向に長尺な金属部材であって、前記前枠基体部８０の後面に取着される取着板部９４と、該取着板部９４の左縁部から後方へ折曲形成された案内板部９６とから構成される。取着板部９４の後面には、第１フック部９４ａが形成されており、該第１フック部９４ａにばね部材９８の下端部が連結されている。前記案内板部９６は、前枠２０を中枠１８に対し閉成した状態で、前記中枠１８の貫通孔４０ａから突出する突出係合片４４のカギ部４４ａより左方に位置するようになっている(図７参照)。案内板部９６の後縁部には、該案内板部９６との間に前記第２作動部材９２を保持する保持片９６ａが上下方向に離間して複数(実施例では４つ)形成されている。また、案内板部９６における上下方向の略中央位置に、該案内板部９６の後縁部から左方へ延出する設置板９６ｂが形成されており、該設置板９６ｂに前記解錠操作部４６が固定されている。更に、前記案内板部９６における設置板９６ｂの下方に上下方向に延在するスライド窓９６ｃが左右方向に開放して形成されている(図１１参照)。
【００２６】
図１２(ａ)〜(ｃ)に示すように、前記第２作動部材９２は、前記支持案内部９０と略同一の上下長さを有する板状体であって、案内板部９６の右面に当接した状態で、前記支持案内部９０に上下に摺動自在に保持される。図７に示すように、第２作動部材９２は、前枠２０を中枠１８に対し閉成した状態では、前記カギ部４４ａの左方に近接するよう構成される。図１３(ａ),(ｂ)に示すように、第２作動部材９２の右側面には、第２フック部９２ａが形成され、該第２フック部９２ａに前記ばね部材９８の上端部が連結されている。そして、第２作動部材９２は、ばね部材９８の弾性力(付勢力)により下方へ付勢された状態とされる。図１３(ａ),(ｂ)に示すように、第２作動部材９２の後縁部には、右方へ延出する前枠係合片９２ｂが前記中枠１８の突出係合片４４に対応して複数(実施例では３つ)形成されている。また、第２作動部材９２の左側面には、左方へ突出する係止フック９２ｃが形成され、係止フック９２ｃは、スライド窓９６ｃを介して案内板部９６の左方へ臨んでいる(図１１参照)。更に、第２作動部材９２における前記設置板９６ｂに対応する位置に、該第２作動部材９２の後縁部から後方へ延出する係止凹部９２ｄが形成されている。
【００２７】
前記解錠操作部４６は、図示しない解錠カギを一方へ回動操作した際に中枠１８を外枠１２に対し解錠すると共に、解錠カギを他方へ回動操作した際に前枠２０を中枠１８に対し解錠するよう構成される。図１２(ａ)に示すように、解錠操作部４６は、鍵孔を有する円柱状の施錠本体部４６ａが前記設置板９６ｂから前方に突出した状態で固定されており、前記支持案内部９０を前枠２０に取り付けた際に、該前枠２０に設けた通孔部(図示せず)を介して前枠２０の前面側に施錠本体部４６ａの鍵孔が臨むよう構成される(図１参照)。施錠本体部４６ａの後部には、解錠カギの解錠操作により回動される回動盤４６ｂが設けられている。回動盤４６ｂには、該回動盤４６ｂの周縁から後方へ折曲した後、回動盤４６ｂの径方向外方へ延出する第１作動片４６ｃと、該第１作動片４６ｃより下方で回動盤４６ｂの周縁から径方向外方へ延出する第２作動片４６ｄとが形成されている。前記第１作動片４６ｃは、前記第２作動部材９２の係止凹部９２ｄより後方に位置して、回動盤４６ｂが回動した際に、第１作動片４６ｃが係止凹部９２ｄに干渉しないよう構成される。この第１作動片４６ｃは、前記解錠カギを一方へ回動操作した際に、第１作動片４６ｃが第１作動部材３０に当接して、該第１作動部材３０を押し下げるようになっている。これにより、第１作動部材３０の中枠係合片３０ａおよび外枠１２の外枠係合片２８の係合が解除されて、中枠１８が外枠１２に対し解錠されるよう構成される。
【００２８】
図１２(ｂ)に示すように、前記第２作動片４６ｄは、前記第２作動部材９２の係止凹部９２ｄに近接しており、前記解錠カギを他方へ回動操作した際に、第２作動片４６ｄが該係止凹部９２ｄに係止して、第２作動部材９２を前記ばね部材９８の弾性力に抗して押し上げるよう構成される(図１２(ｃ)参照)。すなわち、第２作動部材９２は、常には、ばね部材９８の弾性力により下方位置(以下、施錠位置という)に位置すると共に、解錠カギを他方へ回動操作した際に、第２作動部材９２は上方位置(以下、解錠位置という)に変位するようになっている。そして、第２作動部材９２が施錠位置では、前枠２０を中枠１８に対し閉成した状態で、前記前枠係合片９２ｂが突出係合片４４に係合し、前枠２０が中枠１８に対し施錠されるようになっている(図８(ａ)参照)。一方、第２作動部材９２が解錠位置に変位すると、前記前枠係合片９２ｂが突出係合片４４より上方に位置して両者９２ｂ,４４の係合が解除され(図８(ｂ)参照)、前枠２０が中枠１８に対し解錠されるようになっている。そして、この状態で前枠２０を前側へ回動させることで、前枠２０を中枠１８に対して開放することが可能となる。
【００２９】
〔保護部材８４について〕
図１１に示すように、前記保護部材８４は、前枠基体部８０の後面における右端部から左端部近傍にかけて左右に延在するよう配設される。図１４に示すように、前記保護部材８４は、本体板部８４ａと該本体板部８４ａの周縁部から前方に延出する壁部８４ｂとから構成されて、前方に開放する収容部８４ｃが画成されている。保護部材８４の後側には、合成樹脂で形成された弧状のシールド板１００が配設されている。具体的には、前記シールド板１００は、図３,図１１に示すように、前記遊技盤１６の発射通路１６ｄの前側を覆う円弧状の保護板部１００ａと、該保護板部１００ａの円周縁側に設けられて遊技盤１６側(後方)に延出する延出体１００ｂとを備えている。前記保護板部１００ａは、前枠２０のガラス板２０ａに近接位置して(すなわち、遊技盤１６の盤面から離間して)、該保護板部１００ａの後側をパチンコ球が通過するようになっている。前記延出体１００ｂは、外レール１６ｂおよび内レール１６ｃの間に臨んで、内レール１６ｃに重なった状態で該内レール１６ｃに沿うよう延在している。すなわち、延出体１００ｂは、球皿部材８２から前記ファール球回収口７９を介して発射通路１６ｄ内に差し込まれた針金等の不正器具(図示せず)に干渉するようになっており、ガラス板２０ａと内レール１６ｃ前端との間から遊技領域１６ａ側に不正器具が挿入されるのを防止している。
【００３０】
前記保護部材８４の本体板部８４ａの後面は、前枠２０を中枠１８に対し閉成した状態で、発射レール２２ａおよび傾斜案内部７６の前側に位置して、前記斜状凹部７４の前方開口を閉塞するようになっている(図１５(ｂ)に傾斜案内部７６の前側に本体板部８４ａが対向した状態を図示)。これにより、打球杆２３ａにより打ち出されたパチンコ球が両部材２２ａ,７６上から前側に移動するのを規制される。前記本体板部８４ａにおける前記第１係合部７８に対応する位置には、前後方向へ開口する挿入口(凹部)１０２が形成されており、前枠２０を中枠１８に対し閉成した際に、第１係合部７８が挿入口１０２に挿入されて前記収容部８４ｃ内に突出するようになっている。図１４に示すように、前記挿入口１０２の上縁部は、前枠２０の回動軸側(ヒンジ部側)である左側に切り欠かれており、挿入口１０２の上縁部の開口寸法が拡げられている。また、本体板部８４ａの前面には、前方に突出する複数の固定ボス８４ｄが形成されている。
【００３１】
図１４に示すように、前記保護部材８４の収容部８４ｃには、本体板部８４ａの前面に取り付けられる案内部材(案内部)１０４と、固定板１０３を介して左右方向にスライド自在に配設された第２係合部１０６と、該第２係合部１０６および前記第２作動部材９２を連結するワイヤ(リンク手段)１０８と、該ワイヤ１０８を案内保持する保持案内部１１０とが設けられている。前記案内部材１０４は、ポリアセタール(ＰＯＭ)等の潤滑性を有する合成樹脂から形成されると共に、前記本体板部８４ａにおける挿入口１０２の上側位置に設けられる。図１５(ａ),(ｂ)に示すように、前記案内部材１０４は、前記挿入口１０２側へ向けて下方に突出する突出部１０４ａが形成され、該突出部１０４ａの下面は、挿入口１０２の上縁から僅かに下方に臨むと共に、該挿入口１０２の上縁から後方に延在する案内面１０４ｂとされる。そして、前記第１係合部７８が挿入口１０２に挿入する際に、該第１係合部７８の上部が案内面１０４ｂを摺動するよう構成される。また、前枠２０が中枠１８に対し閉成した状態では、案内面１０４ｂが第１係合部７８の上部に当接して該第１係合部７８に支持されるようになっている(図１５(ｂ)参照)。
【００３２】
図１４に示すように、前記固定板１０３は、アルミ等からなる略矩形状の金属板であって、前記案内部材１０４の前面に当接した状態で該本体板部８４ａの前記固定ボス８４ｄにネジ止めされている。前記固定板１０３には、前記挿入口１０２に対応する部位に逃げ部１０３ａが形成されており、挿入口１０２に挿入した第１係合部７８に固定板１０３が干渉するのを防止している。また、前記固定板１０３の前面には、円柱状の案内突部１０３ｂ,１０３ｂが左右に離間して複数(実施例では２つ)突設されている。なお、図１６(ａ),(ｂ)に示すように、前記固定板１０３の左端部に第１係止片１０３ｃが形成され、該第１係止片１０３ｃに付勢ばね１１２の左端部が連結している。
【００３３】
図１４に示すように、前記第２係合部１０６は、アルミ等から形成された矩形薄板状の金属部材であって、前記挿入口１０２に挿入した第１係合部７８に係脱自在に係合するものである。第２係合部１０６の下縁側には、左右方向に延在するスライド溝１０６ａが形成されると共に、該第２係合部１０６の上縁側には、左右方向に延在する案内溝１０６ｂが形成されている。そして、前記スライド溝１０６ａに前側から挿通させた固定ピン１０６ｃを固定板１０３に固定することで、第２係合部１０６が固定板１０３に左右方向にスライド自在に取り付けられる。前記案内溝１０６ｂの上下幅は、前記案内突部１０３ｂ,１０３ｂの上下幅(直径)より僅かに大きく設定されており、両案内突部１０３ｂ,１０３ｂが案内溝１０６ｂに臨むようになっている(図１６(ａ),(ｂ)参照)。そして、第２係合部１０６がスライドする際に、案内突部１０３ｂ,１０３ｂにより案内溝１０６ｂが案内されるよう構成される。更に、案内突部１０３ｂ,１０３ｂは、案内溝１０６ｂの端部に当接することで、第２係合部１０６のスライド量を規定している。なお、第２係合部１０６の左右方向のスライド量は、前記第２作動部材９２の施錠位置から解錠位置までの上下方向のスライド量と略一致するよう設定されている。前記第２係合部１０６の左上隅部には、第２係止片１０６ｄが形成され、該第２係止片１０６ｄに付勢ばね１１２の右端部が連結している。そして、第２係合部１０６は、付勢ばね１１２の弾性力(付勢力)により、左方(後述する係合位置側)へ付勢された状態にある。
【００３４】
ここで、前記案内溝１０６ｂの右端部が右側の案内突部１０３ｂに当接した位置(以下、係合位置という)では、図１６(ａ)に示すように、第２係合部１０６の左縁部の一部が前記逃げ部１０３ａ側に臨んで、正面視で挿入口１０２の右縁部より左方に位置する。図１７(ｂ)に示すように、第２係合部１０６が係合位置では、前記挿入口１０２に挿入した第１係合部７８の係合溝７８ａに第２係合部１０６の左縁部が係合するようになっている。一方、案内溝１０６ｂの左端部が左側の案内突部１０３ｂに当接した位置(以下、解除位置という)では、図１６(ｂ)に示すように、第２係合部１０６の左縁部が固定板１０３の後側に退避して、正面視で前記挿入口１０２の右縁部より右方に位置する。この解除位置では、前記第２係合部１０６の左縁部が第１係合部７８の係合溝７８ａから離脱して、第１係合部７８および第２係合部１０６の係合が解除されるようになっている。
【００３５】
図１６(ａ),(ｂ)に示すように、前記保持案内部１１０は、本体板部８４ａの前面における右端部から中央部にかけて延在するよう配設されている。図１４に示すように、保持案内部１１０は、第１半体１１０ａおよび該第１半体１１０ａの前側に組み付けられた第２半体１１０ｂから構成されて、両第１および第２半体１１０ｂの間に前記ワイヤ１０８を案内保持する案内路１１０ｃが画成される。この案内路１１０ｃの右端は、前枠２０の右端部側で右方に向けて開放すると共に、案内路１１０ｃの左端は、本体板部８４ａにおける左右の略中央位置で左方に向けて開放している。
【００３６】
前記ワイヤ１０８は、可撓性を有する合成樹脂や金属等から構成された線状体であって、ワイヤ１０８の左右の端部は、前記案内路１１０ｃから突出している。前記ワイヤ１０８の左右の端部に連結片１０８ａ,１０８ａが設けられており、ワイヤ１０８の左側の連結片１０８ａは第２係合部１０６の右端部に、ワイヤ１０８の右側の連結片１０８ａは第２作動部材９２の係止フック９２ｃに夫々連結されている。すなわち、図１６(ａ),(ｂ)に示すように、第２係合部１０６および第２作動部材９２は、ワイヤ１０８によって連結されており、解錠操作部４６を解錠操作した際に、上下方向にスライドする第２作動部材９２に連動して、第２係合部１０６が左右方向にスライドするよう構成される。ここで、ワイヤ１０８の延在長さは、係合位置での第２係合部１０６の右端部から案内路１１０ｃの右端部までの距離と、該案内路１１０ｃの右端部から解錠位置での第２作動部材９２の係止フック９２ｃまでの距離とを合計した距離より僅かに大きく設定されている。従って、図１６(ａ)に示す如く、第２作動部材９２の施錠位置では、第２作動部材９２が付勢ばね１１２の弾性力により係合位置に保持されると共に、図１６(ｂ)に示す如く、第２作動部材９２が解錠位置にスライドすると、ワイヤ１０８の右側の連結片１０８ａが上方へ引っ張られて、第２作動部材９２が付勢ばね１１２の弾性力に抗して解除位置にスライドされるようになっている。
【００３７】
〔検知ユニット８６について〕
図１１に示すように、前記前枠基体部８０の右上隅部における後面には、前記中枠１８の上縁部４８に設けた中枠通孔部５８に対応する位置に、後方に開放する設置空間１１４が形成されている。そして、この設置空間１１４に前記検知ユニット８６が着脱自在に配設されている。図１８に示すように、この検知ユニット８６は、検知センサ(検知手段)１１６と、該検知センサ１１６を収容するケース体１１８と、該ケース体１１８に設けられた回動作動部材(作動部材)１２０とを備え、１つのユニットとして取り扱い得るようになっている。前記ケース体１１８は、第１ケース部１２２と、該第１ケース部１２２の左側に組み付けられた第２ケース部１２４とから構成される。前記第１ケース部１２２は、前壁部１２２ａ、後壁部１２２ｂ、左壁部１２２ｃ、上壁部１２２ｄおよび下壁部１２２ｅから構成されて、右方に開放するセンサ収容部１２６が画成されている。前記左壁部１２２ｃには、上側斜め前方に凸の円弧をなして延在する弧状開口部１２８が左右方向に開放して形成されている。前記下壁部１２２ｅの前側には、上下方向に開放する延出口１２２ｆが形成されている。
【００３８】
前記第２ケース部１２４は、略矩形状に形成された保持板部１２４ａの上縁部から延出壁１２４ｂが右方に延出して構成され、前記第１ケース部１２２の左側に固定される。前記保持板部１２４ａの右面には、前記回動作動部材１２０を収容するための凹状部１２４ｃが凹設されると共に、保持板部１２４ａの後面に該凹状部１２４ｃに連通する出入窓１２４ｄが前後方向に開放して形成されている。図９Ｂ,図１０に示すように、この出入窓１２４ｄは、前記前枠２０を中枠１８に対し閉成した状態で、前記上縁部４８の中枠通孔部５８の前側に対向するようになっている。前記保持板部１２４ａの右面には、前記回動作動部材１２０を軸支する回動軸１２４ｅが右方へ突出して形成されると共に、該回動軸１２４ｅの前側上方に右方へ突出する保持突起１２４ｆ(図１９(ａ),(ｂ)参照)が形成され、該保持突起１２４ｆに第２の捻りばね(第１の付勢手段)１３０が取り付けられている。図１９(ａ),(ｂ)に示すように、この第２の捻りばね１３０は、一端が前記延出壁１２４ｂの下面に当接すると共に、他端が前記回動作動部材１２０の規制突起１２０ａ(後述)に係止される。
【００３９】
図１８に示す如く、前記回動作動部材１２０は、扇形状をなす回動体１３２と、該回動体１３２の前側の端部に設けられ、右方(図１８では左下)に突出する作用体１３４とを備えている。前記回動体１３２の後部側には、該回動体１３２の周縁部から径方向に膨出する被押圧突部１３６が形成されている。また、回動体１３２の中心部には、左右方向に開放する軸孔１３２ａが形成されており、該軸孔１３２ａに前記回動軸１２４ｅを挿入することで、回動体１３２が第２ケース部１２４に回動自在に取り付けられる。回動体１３２の右面には、右方へ突出する規制突起１２０ａが形成され、図１９(ａ),(ｂ)に示すように、前記第２の捻りばね１３０の他端が規制突起１２０ａに係止している。これにより、回動体１３２は、第２の捻りばね１３０の弾性力(付勢力)により所定方向(後述する第２位置から第１位置へ回動変位する方向)へ付勢された状態となる。ここで、前記回動体１３２を前記回動軸１２４ｅに軸支した状態では、該回動体１３２が凹状部１２４ｃに収容されると共に、前記被押圧突部１３６が出入窓１２４ｄに臨むよう構成される(図９Ｂ,図１０参照)。また、図１９(ａ),(ｂ)に示すように、前記作用体１３４が前記弧状開口部１２８を介して前記センサ収容部１２６内に臨むと共に、前記規制突起１２０ａが弧状開口部１２８の内部に位置するようになっている。
【００４０】
そして、図１９(ａ)に示すように、回動体１３２は、前記第２の捻りばね１３０の弾性力により付勢されて、前記規制突起１２０ａが弧状開口部１２８の後側の端部に当接した位置(以下、第１位置という)に位置するよう構成される。図１０に示すように、回動体１３２が第１位置にある状態では、前記被押圧突部１３６が出入窓１２４ｄから後方へ突出した状態となる。また、回動体１３２が第１位置にある状態では、前記センサ収容部１２６内において上壁部１２２ｄに近接した位置に前記作用体１３４が位置している。そして、前記押圧部材５６が作動位置に位置すると(すなわち、前枠２０を中枠１８に対し閉成し、かつ中枠１８を外枠１２に対し閉成した状態)、図９Ｂに示す如く、前記中枠通孔部５８から突出した前側押圧部５６ｂが被押圧突部１３６を前方へ押圧して、前記第２の捻りばね１３０の弾性力に抗して回動体１３２が回動変位される。すなわち、図１９(ｂ)に示すように、回動体１３２は、第１位置から被押圧突部１３６が凹状部１２４ｃ内に退避する位置(以下、第２位置という)まで回動変位されるようになっている。また、回動体１３２が第１位置から第２位置まで回動変位する間に、前記作用体１３４は、回動軸１２４ｅを中心とした円弧状の回動軌跡Ｃ(図２０(ｂ),(ｃ)参照)をなして移動する。そして、回動体１３２が第２位置では、作用体１３４は、前記上壁部１２２ｄから下方に離間して弧状開口部１２８の下端部側に到来するようになっている。
【００４１】
前記検知センサ１１６は、上下方向に延在する直方体状のセンサ本体１３８と、該センサ本体１３８の後面から突出する出没式のスイッチ１４０とを備えている。前記センサ本体１３８の下部には、コネクタ部１４２が設けられている。そして、センサ本体１３８は、前面を前壁部１２２ａに当接させると共に、前記コネクタ部１４２を前記延出口１２２ｆから突出させた状態で、左壁部１２２ｃの右面に固定されている。すなわち、検知センサ１１６は、コネクタ部１４２を除く略全体がセンサ収容部１２６に収容されている。更に、検知センサ１１６は、前記前枠２０の設置空間１１４の内部に収容されて、該検知センサ１１６に外部からアクセスするのは不能とされている。検知センサ１１６が左壁部１２２ｃに固定された状態では、センサ本体１３８が弧状開口部１２８の前側に位置して、前記スイッチ１４０が後方に臨んでいる。前記スイッチ１４０は、センサ本体１３８内に設けた図示しない付勢手段により、センサ本体１３８の後面から突出するよう付勢されている。そして、図１９(ａ)に示すように、スイッチ１４０がセンサ本体１３８から突出した状態では、検知センサ１１６は、前枠２０、中枠１８および外枠１２が相対的に開放した状態に対応する開放検知状態(ＯＦＦ)とされる。一方、図１９(ｂ)に示すように、スイッチ１４０がセンサ本体１３８内に没入した状態では、検知センサ１１６は、前枠２０、中枠１８および外枠１２が全て閉成した状態(すなわち、第１の枠体１２および第２の枠体１４が閉成した状態)に対応する閉成検知状態(ＯＮ)とされる。
【００４２】
ここで、検知センサ１１６は、前記コネクタ部１４２に接続した配線を介して制御装置(何れも図示せず)に電気的に接続されており、検知センサ１１６から出力される検知信号(開放検知信号および閉成検知信号)は、制御装置に入力されるようになっている。そして、検知センサ１１６から開放検知信号が制御装置へ入力されると、該制御装置は、中枠１８の後側に設けた球払出装置(図示せず)を作動停止するよう構成されている。また、検知センサ１１６から開放検知信号が入力されると、前記制御装置から報知手段に開放報知信号を出力して、前枠２０(中枠１８)の開放を報知するようになっている。
【００４３】
前記報知手段としては、前記スピーカ３２や図柄表示装置、発光手段(図示せず)等が適宜に採用される。また、具体的な報知制御として、前記検知センサ１１６からの開放検知信号の入力に伴って所定の設定時間に亘ってスピーカ３２から警報音を出力すると共に、前枠２０に配設された発光手段を全点灯し、前記遊技盤１６に配設された発光手段を全消灯するよう制御装置が制御する。そして、設定時間の経過後も引き続き開放検知信号が制御装置へ入力されると、スピーカ３２からの警報音の出力が終了し、前枠２０および遊技盤１６に配設された発光手段による異常報知を継続するよう制御される。すなわち、前枠２０が開放した初期の段階では、スピーカ３２からの警報音を伴って異常報知することで異常発生を早期に認識させて異常な状態の解消を促す一方で、警報音が鳴り続けることによる不快感を遊技者に抱かせないようにしている。
【００４４】
前記センサ本体１３８の上側後部には、板状片１４４が左右方向に延在する揺動軸１４４ａに軸支されている。この板状片１４４は、所定方向に長尺な薄板状の金属片で構成される。板状片１４４は、センサ本体１３８から突出するスイッチ１４０に当接して、揺動軸１４４ａから離間する(下方)につれてセンサ本体１３８から離間する方向(後方)へ傾斜した開放検知位置(図１９(ａ))と、スイッチ１４０を押圧してセンサ本体１３８の後面に平行な上下方向に延在する閉成検知位置(図１９(ｂ))とに変位可能に構成されている。すなわち、板状片１４４が開放検知位置から閉成検知位置に変位することで、スイッチ１４０が押圧されて、検知センサ１１６が開放検知状態から閉成検知状態に切り替わるようになっている。
【００４５】
ここで、図１９(ａ)に示すように、開放検知位置の板状片１４４は、前記回動体１３２が第１位置における作用体１３４から僅かに前方に離間するよう構成されると共に、作用体１３４の回動軌跡Ｃに交差するよう延在している(図２０(ａ)参照)。また、回動体１３２が第１位置から第２位置に回動変位する間に、作用体１３４が板状片１４４に当接して(図２０(ｂ))、該板状片１４４を揺動変位させるようになっている。そして、図２０(ｃ)に示すように、回動体１３２が第２位置に位置すると、作用体１３４がセンサ本体１３８に最近接して、板状片１４４が閉成検知位置に位置するようになっている。ここで、実施例では、第１位置から第２位置に揺動変位する板状片１４４と、開放検知位置から閉成検知位置まで回動体１３２が回動変位する間の作用体１３４との関係は、以下の関係に設定されている。すなわち、図２０(ａ)〜(ｃ)に示すように、回動体１３２が第１位置から第２位置に回動変位する際に、作用体１３４が板状片１４４に最初に当接した位置を初期当接点Ｐ１とし、回動体１３２が第２位置に回動変位したときの作用体１３４の位置を最終当接点Ｐ２とする。また、作用体１３４の回動軌跡Ｃの初期当接点Ｐ１における接線を初期接線Ｌ１とし、作用体１３４の回動軌跡Ｃの最終当接点Ｐ２における接線を最終接線Ｌ２とする。そして、図２０(ｂ)に示すように、開放検知位置での板状片１４４と初期接線Ｌ１とがなす角度をαとし、図２０(ｃ)に示すように、閉成検知位置での板状片１４４と最終接線Ｌ２とがなす角度をβとすると、βはαより小さくなる(β＜α)よう設定されている。実施例では、閉成検知位置での板状片１４４は、最終接線Ｌ２と平行に延在して、閉成検知位置での板状片１４４と最終接線Ｌ２とがなす角度βは０°となっている。換言すれば、回動体１３２の第２位置では、作用体１３４および回動軸１２４ｅを結ぶ線分と板状片１４４とがなす角度γが直交(９０°)するよう構成される。
【００４６】
ここで、開放検知位置での板状片１４４と初期接線Ｌ１とがなす角度αは、その値が大きくなるにつれて、板状片１４４に作用する負荷が大きくなる。そこで、前記角度αの値は、好ましくは３０°〜７０°、更に好ましくは４０°〜５０°の範囲内に設定されて、板状片１４４に大きな負荷が掛からないようになっている。また、図１９(ａ)に示すように、前記初期当接点Ｐ１は、開放検知位置での板状片１４４におけるスイッチ１４０との接点より揺動軸１４４ａ側に設定される。従って、てこの原理により、作用体１３４の移動量に対して板状片１４４がスイッチ１４０を押圧する量が大きくなるから、スイッチ１４０を迅速に没入させることが可能となり、検知センサ１１６の応答性が向上するようになっている。
【００４７】
〔実施例の作用〕
次に、実施例に係るパチンコ機１０の作用について説明を行う。先ず始めに、図３に示すように、前枠２０が中枠１８に対し開放し、かつ中枠１８が外枠１２に対し閉成した状態で、前枠２０を中枠１８に対し閉成する場合について説明する。なお、前枠２０が中枠１８に対し開放した状態では、検知ユニット８６の回動体１３２は、第２の捻りばね１３０の弾性力により第１位置に保持され、被押圧突部１３６がケース体１１８の出入窓１２４ｄを介して後方に突出した状態にある(図１０参照)。また、検知センサ１１６は、スイッチ１４０がセンサ本体１３８から突出した開放検知状態となっている(図１９(ａ)参照)。
【００４８】
〔外枠１２に対し閉成した状態の中枠１８に対し前枠２０を閉成する場合について〕
中枠１８が外枠１２に対し閉成した状態では、後側押圧部５６ｃが外枠１２の上縁枠部１２ａの前面に当接して、押圧部材５６が作動位置に位置し、図３に示すように、前側押圧部５６ｂが中枠通孔部５８を介して上縁部４８の前面から突出している。前枠２０を中枠１８に対し閉成させると、図７に示すように、右枠部材１８ｄの貫通孔４０ａを介して連結壁４０の前側に突出する突出係合片４４のカギ部４４ａに対し、第２作動部材９２が左方に臨み、前枠係合片９２ｂがカギ部４４ａに係合する。このとき、突出係合片４４のカギ部４４ａは、前端部側が機外側(右側)に傾斜しているから、カギ部４４ａが第２作動部材９２の後縁部や案内板部９６に干渉するのを防止している。第２作動部材９２は、ばね部材９８の弾性力により施錠位置に保持されて、前枠２０および中枠１８が施錠される(図８(ａ)参照)。
【００４９】
図９Ｂに示すように、前枠２０を中枠１８に対し閉成すると、前枠基体部８０の後面が上縁部４８の前面に臨み、前記上縁部４８の前面から突出した前側押圧部５６ｂに回動作動部材１２０の被押圧突部１３６が当接して、該被押圧突部１３６が前方へ押圧される。これにより、回動体１３２が第２の捻りばね１３０の弾性力に抗して回動変位して、作用体１３４が移動を開始する。そして、作用体１３４が開放検知位置に位置する検知センサ１１６の板状片１４４に当接して、該板状片１４４を揺動変位させる(図２０(ｂ)参照)。図１９(ｂ)に示すように、前側押圧部５６ｂによって被押圧突部１３６が第２ケース部１２４の凹状部１２４ｃ内に押し込まれると、回動体１３２が第２位置に位置して作用体１３４がセンサ本体１３８に最近接する。これにより、板状片１４４は、センサ本体１３８の後面に対し平行な閉成検知位置に位置して、スイッチ１４０がセンサ本体１３８内に没入し、検知センサ１１６が閉成検知状態に切り替わる。
【００５０】
このように、中枠１８が外枠１２に対し閉成した状態では、押圧部材５６が作動位置に位置しているから、前枠２０を中枠１８に対し閉成した際に、押圧部材５６により回動体１３２を第２位置に確実に回動変位させることができる。これにより、検知センサ１１６が閉成検知状態に切り替わり、前枠２０、中枠１８および外枠１２(すなわち、第１の枠体１２および第２の枠体１４)の閉成を確実に検知することができる。また、図１９(ａ),(ｂ)に示すように、検知センサ１１６は、センサ本体１３８や板状片１４４がケース体１１８に収容されているから、塵埃等がセンサ本体１３８のスイッチ１４０や板状片１４４等に付着し難くなり、該検知センサ１１６に不具合が発生するのを抑制し得る。特に、前枠２０を開放した状態で清掃等のメンテナンスをする際に、作業者が検知センサ１１６のスイッチ１４０や板状片１４４等に触れてしまい、これらの部材が破損するのを防止することができる。
【００５１】
ここで、図２０(ｂ),(ｃ)に示すように、閉成検知位置での板状片１４４と最終接線Ｌ２とがなす角度β(０°)は、開放検知位置での板状片１４４と初期接線Ｌ１とがなす角度αより小さくなる。すなわち、作用体１３４が板状片１４４に作用する力は、作用体１３４が板状片１４４に最初に当接したとき(図２０(ｂ))を最大として、回動体１３２が回動変位するにつれて次第に小さくなる。そして、回動体１３２が第２位置に到来したとき(図２０(ｃ))に、作用体１３４が板状片１４４に作用する力が最も小さくなる。従って、前枠２０を中枠１８に対し強い力で閉成したとしても、回動体１３２が第２位置に位置したときに板状片１４４に加わる負荷が軽減されるから、板状片１４４や検知センサ１１６が破損したり、検知センサ１１６に不具合が発生したりするのを好適に抑制することができる。しかも、実施例では、閉成検知位置での板状片１４４は、前記最終接線Ｌ２と平行に延在するようになる。そのため、回動体１３２が第２位置に位置した状態で更に回動体１３２に負荷が加わったとしても、作用体１３４は板状片１４４に対し離間する方向へ移動することになる。すなわち、回動体１３２が第２位置に位置した状態で更に回動体１３２が回動したとしても、作用体１３４から板状片１４４に作用する力はむしろ小さくなるので、板状片１４４や検知センサ１１６が破損するのを好適に防止することができる。
【００５２】
〔第１係合部７８および第２係合部１０６の係合について〕
次に、前枠２０を中枠１８に対し閉成した際に、第１係合部７８および第２係合部１０６が係合する場合について説明する。なお、前枠２０が中枠１８に対し開放した状態では、図１６(ａ)に示す如く、第２係合部１０６は、付勢ばね１１２の弾性力により係合位置に位置している。前枠２０を回動させて中枠１８に対し閉成すると、前記保護部材８４の本体板部８４ａが中枠１８の斜状凹部７４を前側から閉塞すると共に、シールド板１００の延出体１００ｂが内レール１６ｃに重なるよう該内レール１６ｃに沿って延在する。また、第１係合部７８の先端部が挿入口１０２を介して収容部８４ｃに挿入する。ここで、前枠２０は、左端部側が中枠１８に軸支されているため、前枠２０自体の荷重により左側から右側へ向けて僅かに下方傾斜した状態にある。このため、第１係合部７８が挿入口１０２に挿入する際に、該挿入口１０２の上縁部に第１係合部７８が接触する虞がある。そこで、図１５(ａ)に示すように、挿入口１０２の上縁部に案内部材１０４の案内面１０４ｂが臨むよう構成して、第１係合部７８が挿入口１０２に挿入する際に、第１係合部７８の上部側が案内面１０４ｂに摺動するようになっている。その際、第１係合部７８の先端部は、後方から前方に向けて先細り形状とされているから、第１係合部７８の先端部が案内面１０４ｂを押し上げながら挿入することになる。その結果、前枠２０が僅かに持ち上げられて、第１係合部７８を挿入口１０２の上縁部に接触することなく挿入させることができ、保護部材８４が破損するのを防止し得る。しかも、図１１に示す如く、挿入口の上縁部は、前枠２０の回動軸側(すなわち、左側)に向けて拡がるよう形成されているから、第１係合部７８が挿入口１０２の上縁部に更に接触し難くしている。
【００５３】
第１係合部７８が挿入口１０２に挿入すると、該第１係合部７８の先端部が係合位置に位置する第２係合部１０６の左縁部に当接し、図１７(ａ)に示すように、第１係合部７８の先端部によって、第２係合部１０６が解除位置(右方)に向けて移動される。そして、第１係合部７８の先端部が第２係合部１０６を通過した際に、該第２係合部１０６が付勢ばね１１２の弾性力により係合位置に復帰して第１係合部７８の係合溝７８ａに係合する(図１７(ｂ)参照)。すなわち、前枠２０は、回動軸側(左端部側)および施錠側(右端部側)が中枠１８に固定されると共に、第１および第２係合部７８,１０６の係合により、前枠２０の左右方向の中央部側が中枠１８に固定されることになる。このため、前枠２０を前方へ引っ張ったとしても、該前枠２０を中枠１８に対し離間させることは殆ど不可能となるから、前枠２０および中枠１８の間に隙間を形成して、針金等を挿入する不正行為を防止することができる。しかも、図１に示すように、第１係合部７８および第２係合部１０６は、球皿部材８２の後方で係合するから、遊技者が球皿部材８２を掴んで前方に引っ張った場合に、前枠２０が中枠１８に対し離間するのを好適に防止することができる。
【００５４】
しかも、前枠２０を中枠１８に対し離間することが不能となることで、前記シールド板１００の延出体１００ｂを内レール１６ｃから離間させて、該延出体１００ｂと内レール１６ｃとの間に隙間を形成することが不可能となる。これにより、ファール球回収口７９を介して発射通路１６ｄ内に侵入させた不正器具を延出体１００ｂと内レール１６ｃとの隙間から遊技領域１６ａ側へ差し込んで、入賞装置等に対し不正行為を行うことが不能となる。なお、第２係合部１０６は、付勢ばね１１２により係合位置に位置するよう付勢されるので、第１および第２係合部７８,１０６を確実に係合させることができると共に、衝撃等によって第１および第２係合部７８,１０６の係合が勝手に解除されるのを防止し得る。ここで、図１５(ｂ)に示すように、第１係合部７８が挿入口１０２に挿入した状態では、案内部材１０４の案内面１０４ｂが第１係合部７８の上部に当接した状態となる。これにより、第１係合部７８で前枠２０の荷重を支持することができるから、前枠２０が自重で斜め下方へ傾斜するのを防止することできる。
【００５５】
〔前枠２０が閉成した状態の中枠１８を外枠１２に対し閉成する場合について〕
次に、図２に示すように、前枠２０が中枠１８に対し閉成した状態で、中枠１８を外枠１２に対し閉成する場合について説明する。なお、中枠１８が外枠１２に対し開放し、かつ前枠２０が中枠１８に対し閉成した状態では、押圧部材５６が非作動位置に位置して後側押圧部５６ｃが蓋通孔部６８ａを介して後方に突出している(図２参照)。その結果、回動体１３２が第１位置に位置して、検知センサ１１６は開放検知状態とされる(図１９(ａ)参照)。中枠１８を外枠１２に対し閉成すると、上縁部４８の後面が外枠１２の上縁枠部１２ａの前面に当接し、該上縁枠部１２ａの前面により後側押圧部５６ｃが前方へ押圧される。これにより、図９Ｂに示すように、押圧部材５６が非作動位置から作動位置に向けて前方へスライドして、前側押圧部５６ｂが中枠通孔部５８を介して前方へ突出する。このとき、押圧部材５６は、係合部６６が案内リブ６４に摺動案内されるから、押圧部材５６は、スムーズにスライドすることできる。しかも、押圧部材５６の板部材５６ａの上縁部に設けた逃し凹部５６ｄにより、押圧部材５６と収容凹部５４との摩擦抵抗が軽減されるから、押圧部材５６がスライドする途中で停止してしまうのを防止することができる。前側押圧部５６ｂが前方へ突出することで、回動作動部材１２０の被押圧突部１３６が押圧され、回動体１３２が第１位置から第２位置に回動変位する。これにより、図１９(ａ),(ｂ)に示す如く、作用体１３４が板状片１４４を開放検知位置から閉成検知位置に揺動変位させて、検知センサ１１６が開放検知状態から閉成検知状態に切り替わる。このように、前枠２０、中枠１８および外枠１２を全て閉成した場合に、検知センサ１１６が閉成検知状態に切り替えられるから、これらの枠部材２０,１８,１２(すなわち、第１の枠体１２および第２の枠体１４)の閉成状態を確実に検知することができる。
【００５６】
なお、外枠１２に対して開放した状態の中枠１８に対し、前枠２０を閉成したとしても、コイルばね６２,６２の弾性力により押圧部材５６は非作動位置に保持されているから、回動体１３２が回動変位することなく、検知センサ１１６は開放検知状態に維持される。従って、中枠１８が外枠１２に対して開放しているのにも拘わらず、検知センサ１１６が閉成検知状態に切り替わることはないから、中枠１８の外枠１２に対する開放を確実に検知することができる。
【００５７】
次に、前枠２０、中枠１８および外枠１２が閉成した状態(第１の枠体１２および第２の枠体１４が閉成した状態)において、前枠２０または中枠１８を開放する場合について説明する。
【００５８】
〔前枠２０が閉成した状態の中枠１８を外枠１２に対し開放する場合について〕
前枠２０が閉成した状態の中枠１８を外枠１２に対して開放させる場合には、解錠操作部４６の鍵孔に挿入した解錠カギを一方向へ回動させて、第１作動部材３０の中枠係合片３０ａおよび外枠１２の外枠係合片２８の係合を解除する。そして、中枠１８を前枠２０と共に手前に引くことで、中枠１８を外枠１２に対し開放させる(図２参照)。中枠１８が外枠１２に対し開放すると、中枠１８の上縁部４８が外枠１２の上縁枠部１２ａの前面から離間して、押圧部材５６の後側押圧部５６ｃに対する上縁枠部１２ａの押圧が解除される。これにより、図１０に示すように、押圧部材５６がコイルばね６２の弾性力により作動位置から非作動位置に復帰する。
【００５９】
押圧部材５６が非作動位置にスライドすることで、回動体１３２は、第２の捻りばね１３０の弾性力により第２位置から第１位置に回動変位される。これにより、図１９(ａ)に示す如く、板状片１４４が閉成検知位置から開放検知位置に揺動変位して、検知センサ１１６が開放検知状態に切り替わる。このように、前枠２０が閉成した状態の中枠１８を外枠１２に対し開放させると、押圧部材５６が回動作動部材１２０に対し作用しなくなるから、検知センサ１１６が開放検知状態に切り替わって、中枠１８の外枠１２に対する開放を確実に検知することができる。
【００６０】
〔外枠１２に対し閉成した状態の中枠１８に対し前枠２０を開放する場合について〕
次に、外枠１２に対し閉成した状態の中枠１８に対して、前枠２０を開放する場合について説明する。前枠２０を中枠１８に対し開放する場合には、解錠操作部４６の鍵孔に挿入した解錠カギを他方向に回動操作する。これにより、図１２(ｃ)に示すように、解錠操作部４６の回動盤４６ｂが回動して、第２作動片４６ｄが第２作動部材９２の係止凹部９２ｄを押し上げる。これにより、第２作動部材９２が支持案内部９０に対し上方へスライドして、第２作動部材９２は、ばね部材９８の弾性力に抗して施錠位置から解錠位置まで変位する。第２作動部材９２が解錠位置に変位すると、図８(ｂ)に示すように、第２作動部材９２の前枠係合片９２ｂが突出係合片４４のカギ部４４ａから離脱して、該前枠係合片９２ｂおよびカギ部４４ａの係合が解除される。
【００６１】
図１６(ｂ)に示すように、第２作動部材９２が上方へスライドすることで、係止フック９２ｃに連結されたワイヤ１０８が引っ張られ、付勢ばね１１２の弾性力に抗して第２係合部１０６を右方へスライドさせる。このとき、ワイヤ１０８は、案内部材１０４の案内路１１０ｃに摺動自在に保持されているから、ワイヤ１０８が前枠２０や保護部材８４の他の部材等に引っ掛かることなく、案内路１１０ｃ内をワイヤ１０８がスムーズに移動することができる。しかも、ワイヤ１０８を案内路１１０ｃ内に保持することで、塵埃等がワイヤ１０８に付着し難くなり、塵埃等によりワイヤ１０８の移動に支障が生じるのを抑制し得る。第２作動部材９２が解錠位置に位置すると、第２係合部１０６が解除位置に移動して、第２係合部１０６の左縁部が第１係合部７８の係合溝７８ａから離脱する。これにより、第１係合部７８および第２係合部１０６の係合が解除されて、図３に示す如く、前枠２０を中枠１８に対して開放させることが可能となる。このように、第２係合部１０６を第２作動部材９２にワイヤ１０８で連結することで、第２係合部１０６を第２作動部材９２に連動させるようにしたから、解錠操作部４６を回動操作させるだけの１つの操作により、第２作動部材９２の解錠と、第１および第２係合部７８,１０６の係合の解除とを同時になし得るから、前枠２０の開放作業を効率的に行い得る。
【００６２】
また、第２係合部１０６を解錠位置に位置した状態で、前枠２０を前方に引っ張ると、該前枠２０が中枠１８に対し離間して、第１係合部７８が挿入口１０２から離脱する。このとき、第１係合部７８の上部が案内部材１０４の案内面１０４ｂを摺動するから、第１係合部７８の係合溝７８ａが挿入口１０２の上縁部に引っ掛かることがなく、該挿入口１０２が破損するのを防止することができる(図１５(ａ)参照)。また、前枠２０を中枠１８に対し開放させると、回動作動部材１２０の被押圧突部１３６が押圧部材５６の前側押圧部５６ｂから離間する。これにより、図１９(ａ)に示すように、第２の捻りばね１３０の弾性力により、回動体１３２が第２位置から第１位置に向けて回動変位し、作用体１３４が円弧状に移動する。作用体１３４が移動することで、付勢手段の付勢力によりスイッチ１４０がセンサ本体１３８から突出する。このスイッチ１４０に押圧されて、板状片１４４が閉成検知位置から開放検知位置へ向けて揺動変位する。そして、図１９(ａ)に示すように、回動体１３２が第１位置に位置すると、板状片１４４が開放検知位置に位置し、検知センサ１１６が開放検知状態に切り替わる。このように、実施例では、前枠２０を中枠１８に対し開放した場合においても、押圧部材５６が回動作動部材１２０に作用しなくなるので、検知センサ１１６が開放検知状態に切り替わって前枠２０の中枠１８に対する開放を確実に検知することができる。
【００６３】
なお、前枠２０が中枠１８に対し開放した状態で中枠１８を外枠１２に対して開放させる場合には、第１作動部材３０の中枠係合片３０ａおよび突出係合片４４のカギ部４４ａの係合を解除させ、中枠１８の右端部を前方に引くことで実行される。この場合、前枠２０が中枠１８に対し開放して回動体１３２が第１位置に位置しているから、検知スイッチ１４０は開放検知状態に維持される。
【００６４】
〔変更例〕
なお、前述した実施例は、以下に示す通り、種々の変更が可能である。
（１）実施例では、閉成検知位置での板状片と最終接線とがなす角度βが０°(すなわち、板状片と最終接線が平行)となるよう構成したが、角度βは、必ずしも０°となる必要はない。すなわち、開放検知位置での板状片と初期接線とがなす角度αよりも小さな値であれば、角度βを例えば１０°等に設定してもよい。
（２）実施例では、開放検知位置での板状片と初期接線とがなす角度αの値は、好ましくは３０°〜７０°、更に好ましくは４０°〜５０°の範囲内に設定されて、板状片に大きな負荷が掛かるのを防止していた。しかしながら、前記角度αの値を大きくすることで(例えば７５°以上)、作用体が板状片に速く作用するようになり、板状片を迅速に揺動変位させることができる。これにより、検知手段を素早く切り替えることができ、該検知手段の応答性を高めることができる。
（３）実施例では、閉成検知位置での板状片が最終接線と平行に延在するよう構成することで、第２位置の回動体１３２に対し更に負荷が加わった場合でも、板状片に作用する負荷を軽減するようにした。しかしながら、板状片は、必ずしも、最終接線と平行に延在する必要はなく、図２１に示すように、閉成検知位置での板状片１４４が作用体の回動軌跡Ｃに対し、最終当接点Ｐ２以外の交点Ｐ３を有するように延在していてもよい。換言すれば、回動体１３２が第２位置に位置したときに、作用体１３４が板状片１４４に最も近接する位置を通過して停止する構成としてもよい。この場合においても、第２位置の回動体１３２に対し更に負荷が加わったとしても、作用体１３４は、板状片１４４から離間する方向に移動するので、板状片１４４や検知センサに加わる負荷を軽減することができる。
（４）実施例では、第２の枠体を中枠および前枠で構成し、前枠、中枠および外枠が相対的に開放する構成としたが、必ずしも、第２の枠体を２つの部材で構成する必要はない。例えば、中枠を第１の枠体、前枠を第２の枠体として捉え、検知手段により前枠および中枠のみの開閉状態を検知する構成としたり、外枠を第１の枠体、中枠を第２の枠体として捉え、検知手段により中枠および外枠の開閉状態を検知する構成としてもよい。この場合、押圧部材は不要となる。
（５）実施例では、前枠(第２枠部)にケース体(検知手段)を配設したが、外枠(第１の枠体)にケース体(検知手段)を配設してもよい。この場合、押圧部材は、前枠(第２枠部)が中枠(第１枠部)に対し閉成したときに作動位置に位置し、前枠(第２枠部)が中枠(第１枠部)に対し開放したときに非作動位置に位置するよう設定される。そして、押圧部材が作動位置では、押圧部材(後側押圧部)が外枠(第１の枠体)側(後方)に突出する構成とし、押圧部材が非作動位置では、押圧部材(前側押圧部)が前枠(第２枠部)側(前方)に突出する構成とされる。そして、中枠(第１枠部)が外枠(第１の枠体)に対し開放した際に、作動部材(回動作動部材)が第１位置に位置し、前枠(第２枠部)、中枠(第１枠部)および外枠(第１の枠体)を閉成した際に、押圧部材により作動部材が第２位置に変位する構成としてもよい。
（６）実施例では、中枠(第２枠部)が外枠(第１の枠体)に対し開閉すると共に、前枠(第２枠部)が中枠(第１枠部)に対し開閉する構成としたが、外枠(第１の枠体)が中枠(第１枠部)に対し開閉する構成としたり、中枠(第１枠部)が前枠(第２枠部)に対し開閉する構成としてもよい。
（７）実施例では、第１係合部を中枠(本体部)に設け、第２係合部を前枠(開閉部材)に設けたが、第１係合部を前枠(開閉部材)に設け、第２係合部を中枠(本体部)に設けてもよい。
（８）実施例では、第２係合部をリンク手段で作動部材に連結して、第２係合部を作動部材に連動する構成としたが、必ずしも、第２係合部を作動部材に連動させる必要はなく、第１および第２係合部の係合を解除する機構を別途設けてもよい。
（９）実施例では、第２係合部が係合位置から解除位置に変位する構成としたが、第１係合部および第２係合部が相対的に変位する構成であればよい。すなわち、第１係合部が変位する構成としたり、第１係合部および第２係合部の双方が変位する構成を採用することができる。
（１０）実施例では、リンク手段として可撓性を有するワイヤを採用したが、例えば、リンク手段として、作動部材と第１係合部または第２係合部とを連結するリンク棒等の公知のリンク機構を採用することができる。
（１１）実施例では、棒状の第１係合部が板状の第２係合部と係合する構成としたが、第１係合部および第２係合部は、前枠(開閉部材)および中枠(本体部)を固定し得る構成であれば、公知の係合構造を採用することができる。
（１２）実施例では、第１係合部が挿入口(凹部)に挿入する構成としたが、必ずしも第１係合部が挿入口に挿入する必要はなく、挿入口を省略してもよい。
（１３）実施例では、前枠および中枠の左右の略中央位置で第１係合部および第２係合部が係合する構成としたが、第１係合部および第２係合部の係合位置は、左右に若干偏倚していてもよい。
（１４）実施例では、前枠および中枠の左端部側にヒンジ部を設け、右端部側に施錠手段を設けたが、ヒンジ部および施錠手段が左右逆であってもよい。
（１５）実施例では、上下左右の枠部材を組み付けて中枠を構成したが、中枠を一体物で構成してもよい。同様に、上下左右の枠部材から外枠を構成したが、外枠を一体もので構成することも可能である。
【００６５】
また、本願には、以下のような技術的思想が含まれている。
(Ａ)  請求項１記載の構成を含む遊技機に関し、
前記第１係合部(78)および第２係合部(106)は、両係合部(78,106)が係合する係合位置および両係合部(78,106)の係合が解除される解除位置に相対的に変位可能に構成され、
前記施錠手段(44,88)は、解錠操作により前記開閉部材(20)を本体部(18)に対して施錠する施錠位置および該開閉部材(20)を本体部(18)に対して解錠する解錠位置に変位可能な作動部材(92)を備え、
前記作動部材(92)と第１係合部(78)または第２係合部(106)とに連繋され、該施錠手段(44,88)を解錠操作した際に作動部材(92)と連動して第１係合部(78)および第２係合部(106)を解除位置に相対的に変位させるリンク手段(108,110)を備えていることを要旨とする。
この構成では、施錠手段の作動部材に連動してリンク手段が第１係合部および第２係合部を解除位置に相対的に変位させるので、１つの操作で開閉部材を開放することができ開放作業を容易とし得る。
(Ｂ)  前記(Ａ)記載の構成を含む遊技機に関し、
前記第１係合部(78)または第２係合部(106)は、付勢手段(112)により係合位置に位置するよう付勢され、前記施錠手段(44,88)を解錠操作した際に、前記リンク手段(108,110)は、付勢手段(112)の付勢力に抗して第１係合部(78)および第２係合部(106)を解除位置に相対的に変位させるよう構成されることを要旨とする。
この構成では、付勢手段により第１係合部または第２係合部を係合位置に位置するよう付勢するので、第１係合部および第２係合部を確実に係合させることができる。
(Ｃ)  前記(Ａ)または(Ｂ)記載の遊技機に関し、
前記リンク手段(108,110)は、前記第１係合部(78)または第２係合部(106)を前記作動部材(92)に連結するワイヤ(108)と、該ワイヤ(108)を移動自在に保持する保持案内部(110)とを備えることを要旨とする。
この構成では、保持案内部でワイヤを案内するようにしたので、該ワイヤが開閉部材や本体部に引っ掛かるのを防止することができる。また、保持案内部によりワイヤを案内して、ワイヤを円滑に移動させることができるから、第１係合部および第２係合部を係合位置および解除位置にスムーズに相対的に変位させることができる。
【符号の説明】
【００６６】
１６  遊技盤
１８  中枠(本体部)
２０  前枠(開閉部材)
３４  第１の連結金具(ヒンジ部)
３６  第２の連結金具(ヒンジ部)
４４  突出係合片(施錠手段)
７８  第１係合部
８０ｃ  突起軸(ヒンジ部)
８０ｄ  第３の連結金具
８２  球皿部材(皿部材)
８８  施錠機構(施錠手段)
１０２  挿入口(凹部)
１０４  案内部材(案内部)
１０６  第２係合部
１１２  付勢ばね(付勢手段)
【図１】
0005986649.tif 000002
【図２】
0005986649.tif 000003
【図３】
0005986649.tif 000004
【図４】
0005986649.tif 000005
【図５】
0005986649.tif 000006
【図６】
0005986649.tif 000007
【図７】
0005986649.tif 000008
【図８】
0005986649.tif 000009
【図９Ａ】
0005986649.tif 000010
【図９Ｂ】
0005986649.tif 000011
【図１０】
0005986649.tif 000012
【図１１】
0005986649.tif 000013
【図１２】
0005986649.tif 000014
【図１３】
0005986649.tif 000015
【図１４】
0005986649.tif 000016
【図１５】
0005986649.tif 000017
【図１６】
0005986649.tif 000018
【図１７】
0005986649.tif 000019
【図１８】
0005986649.tif 000020
【図１９】
0005986649.tif 000021
【図２０】
0005986649.tif 000022
【図２１】
0005986649.tif 000023